(57)【要約】【課題】【解決手段】太陽電池モジュールを支持構造に取り付けるためのブラケットである。【選択図】なし
2007503729.tif 000002
【特許請求の範囲】
【請求項１】
底部フランジと、
底部フランジから伸びそして内面及び外面を有する直立部分と、
底部フランジの反対側にあって直立部分から伸び、そして太陽電池モジュールの上面に接するよう配置された下向き内面を有する上部フランジと、
上部フランジと底部フランジとの間の位置において直立部分の内面から伸び、そして上部フランジの下向き内面と共に太陽電池モジュールの端部を収容するようサイズを合わせた第１溝を画成する第１表面及び第１表面の反対側にある第２表面を有する第１延長部と、
第１延長部に隣接し、そして第１延長部と底部フランジとの間の位置において直立部分の内面から伸びそして第１延長部の第２表面と共に第２溝を画成する第２延長部と、
を備える取付ブラケット。
【請求項２】
第１溝に向かう第１部分及び第２溝の内部にある第２部分を有する組子ストリップをさらに備える、請求項１記載の取付ブラケット。
【請求項３】
組子ストリップの第１部分及び第２部分は実質的に互いに垂直である、請求項２記載の取付ブラケット。
【請求項４】
第１部分は上部フランジの下向き内面に対し実質的に垂直である、請求項２記載の取付ブラケット。
【請求項５】
底部フランジは接続手段を収容するようサイズを合わせた部材を含む、請求項１記載の取付ブラケット。
【請求項６】
第２溝は接続手段を収容するようサイズを合わせている、請求項１記載の取付ブラケット。
【請求項７】
第１溝内の直立部分の内面に置かれたクッションストリップをさらに備える、請求項１記載の取付ブラケット。
【請求項８】
前記ブラケットの直立部分から伸び、そしてその外面に対して垂直である外向き上部延長部をさらに備える、請求項１記載の取付ブラケット。
【請求項９】
さらに外向き底部延長部を含み、外向き上部延長部及び外向き底部延長部が支持構造を収容するようサイズを合わせた開口を画成する、請求項８記載の取付ブラケット。
【請求項１０】
上部延長部は底部フランジに向けられた末端部を含む、請求項８記載の取付ブラケット。
【請求項１１】
前記ブラケットはさらに外向き底部延長部を含み、外向き上部延長部及び外向き底部延長部が支持構造を収容するようサイズを合わせた開口を画成する、請求項１０記載の取付ブラケット。
【請求項１２】
底部延長部は上部フランジに向けられた末端部を含む、請求項１１記載の取付ブラケット。
【請求項１３】
前記支持構造は細長いレールである、請求項９記載の取付ブラケット。
【請求項１４】
上面を有する太陽電池モジュールの端部を太陽電池モジュールの上面の一部に隣接するよう配置された下向き内面を有する上部フランジを備える取付ブラケットに挿し込み、
上部フランジの下向き表面を太陽電池モジュールの上面の一部に接着する、太陽電池モジュールを取り付ける方法。
【請求項１５】
前記取付ブラケットはさらに、
取付ブラケットの上部フランジと底部フランジとの間の位置において直立部分の内面から伸び、そして上部フランジの下向き内面と共に太陽電池モジュールの端部を収容するようサイズを合わせた第１溝を画成する第１表面及び第１表面の反対側にある第２表面を有する第１延長部と、
第１延長部に隣接し、第１延長部と底部フランジとの間の位置において直立部分の内面から伸び、そして第１延長部の第２表面と共に第２溝を画成する表面を有する第２延長部と、
を備える、請求項１４に記載の方法。
【請求項１６】
第２溝に組子ストリップを挿入することをさらに含み、その組子ストリップは第１溝に向いている第１部分及び第２溝の内部にある第２部分を有している、請求項１５に記載の方法。
【請求項１７】
太陽電池モジュールは太陽電池モジュールの下面が組子ストリップの第１部分に接するように第１溝の内部に位置付けられる、請求項１５に記載の方法。
【請求項１８】
上部フランジの下向き表面を太陽電池モジュールの上面に接着することは上部フランジの下向き表面に接着剤を塗布することを含む、請求項１５に記載の方法。
【請求項１９】
接着剤はシリコーンを含む、請求項１８に記載の方法。
【請求項２０】
さらに接着剤の硬化を含む、請求項１９に記載の方法。
【請求項２１】
上部フランジの下向き表面を太陽電池モジュールの上面に接着することは太陽電池モジュールの上向き表面に接着剤を塗布することを含む、請求項１５に記載の方法。
【請求項２２】
接着剤はシリコーンを含む、請求項２１に記載の方法。
【請求項２３】
接着剤の硬化を含む、請求項２１に記載の方法。
【請求項２４】
さらに支持構造に取付固定具を取り付けることを含む、請求項１１に記載の方法。
【請求項２５】
上面と下面を有する太陽電池モジュールで、該モジュールは第１端部及び第２端部を有し、そして第１端部と第２端部は実質的に互いに平行となった太陽電池モジュールと、
第１端部に沿って位置づけられる取付ブラケットであって、
底部フランジと、
底部フランジから伸びそして内面と外面を有する直立部分と、
底部フランジの反対側にあって、直立部分から伸びそして太陽電池モジュールの上面に接するよう配置された下向き内面を有する上部フランジと、
上部フランジと底部フランジとの間の位置において直立部分の内面から伸び、そして上部フランジの下向き内面と共に太陽電池モジュールの第１端部を収容するようサイズを合わせた第１溝を画成する第１表面及び第１表面の反対側にある第２表面を有する第１延長部と、
第１延長部に隣接しそして第１延長部と底部フランジとの間の位置において直立部分の内面から伸び、第１延長部の第２表面と共に第２溝を画成する表面を有する第２延長部と、
上部フランジの下向き内面と太陽電池モジュールの上面との間に置かれた接着剤と、を備える取付ブラケットと、
を備えるフレームつき太陽電池モジュール。
【請求項２６】
太陽電池モジュールは太陽電池モジュールの下面が組子ストリップの第１部分に接するよう第１溝の内部に位置付けられる、請求項２５記載のフレームつき太陽電池モジュール。
【請求項２７】
組子ストリップは第１溝に向かう第１部分及び第２溝の内部にある第２部分を含む、請求項２６記載のフレームつき太陽電池モジュール。
【請求項２８】
第２端部に沿って位置付けられた第２取付ブラケットを備え、第２取付ブラケットが、
底部フランジと、
底部フランジから伸びそして内面と外面を有する直立部分と、
底部フランジの反対側にあって、直立部分から伸びそして太陽電池モジュールの上面に接するよう配置された下向き内面を有する上部フランジと、
上部フランジと底部フランジとの間の位置において直立部分の内面から伸び、そして上部フランジの下向き内面と共に太陽電池モジュールの端部を収容するようサイズを合わせた第１溝を画成する第１表面及び第１表面の反対側にある第２表面を有する第１延長部と、
第１延長部に隣接しそして第１延長部と底部フランジとの間の位置において直立部分の内面から伸び、第１延長部の第２表面と共に第２溝を画成する表面を有する第２延長部と、
上部フランジの下向き表面と太陽電池モジュールの上面との間に置かれた接着剤と、を備える第２取付ブラケットをさらに備える、請求項２５記載のフレームつき太陽電池モジュール。
【請求項２９】
第１取付ブラケットの第１終端部と第２取付ブラケットの第１終端部に結合された第１エンドプレートをさらに備える、請求項２８記載のフレームつき太陽電池モジュール。
【請求項３０】
第１取付ブラケットの第２終端部と第２取付ブラケットの第２終端部に結合された第２エンドプレートをさらに備える、請求項２９記載のフレームつき太陽電池モジュール。
【発明の詳細な説明】
【技術分野】
【０００１】
本発明は、太陽電池モジュールを支持構造に取り付けるためのブラケットに関するものである。
【背景技術】
【０００２】
太陽電池モジュールは光を受け発電する。太陽電池モジュールは一般的に支持構造、例えば屋根、地上、または基台に取り付けられる。多数のフレームつき太陽電池モジュールは太陽エネルギーの収集を増加するように一列に配列することが出来る。従来型の太陽電池モジュール搭載システムではフレームと太陽電池モジュールの端部との間に湿気が溜まることがある。過度の湿度の存在は太陽電池モジュールの剥離や電気的故障を引き起こすことがある。
【発明の開示】
【発明が解決しようとする課題】
【０００３】
（概要）
本発明の太陽電池モジュール取付のための取付ブラケットはそのモジュールとフレームとの直接接触を絶つ一方で太陽電池モジュールの支持を提供することが出来る。取付ブラケットはそのモジュールの端部を物理的損傷から保護することができそしてモジュールの端部とフレームとの間に湿気が溜まるのを防ぐことが出来る。フレーム内の湿気の存在が減少することにより、その太陽電池モジュールは他の取付構造より剥離や電気的故障が起り難くなり、それにより太陽電池モジュールの耐用年数が増加する。
【課題を解決するための手段】
【０００４】
一態様において、取付ブラケットは底部フランジ、直立部分、上部フランジ、第１延長部、そして第２延長部を含む。直立部分は底部フランジから伸びる。底部フランジは接続手段を収容できるようサイズを合わせた部材を含めることが出来る。直立部分は内面及び外面を有する。上部フランジは底部フランジの反対側にありそして直立部分から伸びている。上部フランジは太陽電池モジュールの上面に接するよう配置された下方を向いた内面を有している。第１延長部は上部フランジと底部フランジとの間の位置において直立部分の内面から伸びている。第１延長部は上部フランジの下向き内面と共に太陽電池モジュールの端部を収容するようサイズを合わせた第１溝を画成する第１表面を有している。第１延長部は第１表面の反対側に第２表面を有している。第２延長部が第１延長部に隣接し第１延長部と底部フランジとの間の位置において直立部分の内面から伸びている。第２延長部は第１延長部の第２表面と共に第２溝を画成する表面を有している。取付ブラケットは第１溝に向かう第１部分と第２溝の内部にある第２部分を持つ組子ストリップを含めることが出来る。ある実施形態においては、第１部分が上部フランジの下向き内面に対し実質的に垂直の方向に伸びている。第２溝は接続手段を収容できるようサイズを合わせることが出来る。取付ブラケットは第１溝の直立部分の内面に配置されたクッションストリップを含めることが出来る。
【０００５】
ある実施態様においては、取付ブラケットは取付ブラケットの直立部分の外面から突き出しそして取付ブラケットの直立部分の外面と垂直である外向き上部延長部を含めることが出来る。取付ブラケットはさらに外向き底部延長部を含めることが出来る。外向き上部延長部及び外向き底部延長部は、例えば細長いレールのような、支持構造を収容するためサイズを合わせた開口部を画成することが出来る。
【０００６】
その他の態様において、太陽電池モジュールの取付方法には上面を有する太陽電池モジュールの端部を取付ブラケットに挿入することが含まれる。取付ブラケットは太陽電池モジュールの上面の一部と接するよう配置された下向き内面を有する上部フランジを含む。この方法は上部フランジの下向き表面を太陽電池モジュールの上面の一部に接着することを含めることが出来る。その取付ブラケットは直立部分の内面から伸びている第１延長部を含めることが出来、そして上部フランジの下向き内面と共に太陽電池モジュールの端部を収容するようサイズを合わせた第１溝を画成する第１表面と、第１表面の反対側にある第２表面とを持つことが出来る。取付ブラケットは第１延長部に隣接しそして第１延長部の間の位置において直立部分の内面から伸びている第２延長部を含めることが出来る。第２延長部は第１延長部の第２表面と共に第２溝を画成する表面を有することが出来る。
【０００７】
その方法は組子ストリップを第２溝に挿入することを含めることが出来る。その組子ストリップは第１溝に向かう第１部分及び第２溝の内部にある第２部分を含めることが出来る。その太陽電池モジュールは太陽電池モジュールの下面が組子ストリップの第１部分に接触するよう第１溝の内部に位置付けることが出来る。その方法は上部フランジの下向き表面に接着剤を塗布することにより上部フランジの下向き表面を太陽電池モジュールの上面に接着することを含めることが出来る。ある実施形態においては、その方法は太陽電池モジュールの上向き表面に接着剤を塗布することを含んでいる。その方法は接着剤の硬化を含めることが出来る。実施形態によっては、支持構造に取付固定具を取り付けることを含むこともある。
【０００８】
その他の態様において、フレームつき太陽電池モジュールは太陽電池モジュール、取付ブラケット、及び接着剤を含んでいる。太陽電池モジュールは上面と下面を有する。太陽電池モジュールは第１端及び第２端を有し、これらはお互いに実質的に平行である。取付ブラケットは第１端に沿って置かれる。その取付ブラケットは底部フランジ、直立部分、上部フランジ、第１延長部、そして第２延長部を含む。直立部分は底部フランジから伸びそして内面及び外面を有している。上部フランジは底部フランジの反対側に位置し直立部分から伸びている。上部フランジは太陽電池モジュールの上面に隣接するよう配置された下向き内面を有している。第１延長部は上部フランジと底部フランジとの間の位置において直立部分の内面から伸びている。第１延長部は上部フランジの下向き内面と共に太陽電池モジュールの第１端を収容するようサイズを合わせた第１溝を画成する第１表面を有している。第１延長部は第１表面の反対側に第２表面を有している。第２延長部は第１延長部に隣接しそして第１延長部と底部フランジとの間の位置において直立部分の内面から伸びている。第２延長部は第１延長部の第２表面と共に第２溝を画成する表面を有している。接着剤は上部フランジの下向き表面と太陽電池モジュールの上面の間に配置される。
【０００９】
太陽電池モジュールは太陽電池モジュールの下面が組子ストリップの第１部分に接触するよう第１溝の内部に配置することが出来る。組子ストリップは第１溝に向かう第１部分及び第２溝の内部にある第２部分を含めることが出来る。フレームつきの太陽電池モジュールは第２端に沿って位置付けられる第２取付ブラケットを含めることが出来る。第２取付ブラケットは底部フランジ、底部フランジから伸びる直立部分を含めることが出来、そして内面と外面を有することが出来る。第２取付ブラケットは直立部分から伸びる底部フランジの反対側にある上部フランジを有することが出来、そして太陽電池モジュールの上面に接するよう配置された下向き内面を有することが出来る。第２取付ブラケットは上部フランジと底部フランジとの間の位置において直立部分から伸びる第１延長部を有することが出来、そして上部フランジの下向き内面と共に太陽電池モジュールの端部を収容するようサイズを合わせた第１溝を画成する第１表面と、第１表面の反対側にある第２表面とを有することが出来る。第２取付ブラケットは第１延長部に隣接し、第１延長部と底部フランジとの間の位置において直立部分の内面から伸びそして第１延長部の第２表面と共に第２溝を画成する表面を有する第２延長部を有することができる。接着剤は上部フランジの下向き表面と太陽電池モジュールの上面の間に配置することが出来る。
【００１０】
ある実施態様においては、フレームつき太陽電池モジュールは第１取付ブラケットの第１終端部及び第２取付ブラケットの第１終端部に結合される第１エンドプレートを含めることが出来る。フレームつき太陽電池モジュールはさらに第１取付ブラケットの第２終端部及び第２取付ブラケットの第２終端部に結合される第２エンドプレートを含めることが出来る。
一つあるいはそれ以上の実施形態の詳細は付属図面及び下記の記述の中で説明される。
【発明を実施するための最良の形態】
【００１１】
（詳細な説明）
図１を参照すると、フレームつき太陽電池モジュール１０は太陽電池モジュール１２と外枠１４を含む。太陽電池モジュール１２は二つの平行な長手方向端部１６及び１８並びにそれぞれがほぼ長手方向端部１６及び１８に対し垂直となった二つの平行な横方向端部２０及び２１を持った四辺形形状をしている。太陽電池モジュール１２は端部１６、１８、２０及び２１に沿った外枠１４により囲まれている。外枠１４は長手方向端部１６に平行に走る第１取付ブラケット２２そして長手方向端部１８に平行して走る第２取付ブラケット２４を含む。取付ブラケット２２の終端部２８及び取付ブラケット２４の終端部３２は接続手段３０を介してエンドプレートに結合されている。接続手段３０はネジ、リベット、釘、溶接、接着剤またはろう付け結合であってよい。エンドプレート３４はモジュールの端部を保護し仕上がった外観を提供するよう太陽電池モジュール１２の上面６の一部にオーバーラップする上部フランジ３６を含む。取付ブラケット２４の反対終端部３８と取付ブラケット２２の反対終端部４０は接続手段（図示せず）を介して第２エンドプレート４４に結合されている。エンドプレート４４は太陽電池モジュール１２の上面６の一部にオーバーラップする上部フランジ４６を含む。上部フランジ３６及び上部フランジ４６はパネル端部を保護する一方でモジュールの効率を減少させないよう太陽電池モジュール１２の上面６の最小限の部分を覆うことが出来る。取付ブラケット２２及び２４並びにエンドプレート３４及び４４は太陽電池モジュール１２の外縁を取り囲む長方形フレーム１４を形成するよう互いに固定される。フレーム部材は通常、温度及び湿度の上下限の暴露に耐えられる材料から出来ておりそして同じ材料でも異なる材料で作られても構わない。耐候材料の例として、金属、合金、プラスティック、又は構造用複合材料が含まれる。例えば、フレームは押出アルミニウムでもよい。
【００１２】
フレーム１４の底部を示す図２を参照すると、取付ブラケット２２及び２４が、底部フランジ４８及び５２をそれぞれ含む。それぞれの底部フランジ４８及び５２は穴５６を介し接続手段を介して支持構造に固定することができる。底部フランジ４８の終端部２８及び底部フランジ５２の終端部３２は接続手段３０を介してエンドプレート３４に固定することが出来る。同様に、それぞれの平行な取付ブラケット２２及び２４の底部フランジは反対終端部（図示せず）において同じ方法でエンドプレート４４に固定することが出来る。図２及び図３を参照すると、取付ブラケット２４は直立部分６４（下記に詳述する）の内面２から突き出している底部延長部９２及び上部延長部８０により画成される溝１００を有する直立部分６２を含む。図２及び図３に示された図には示されていないが取付ブラケット２２もまたこれらの特徴を含む。実質的にＬ字形をした組子ストリップ１６０の一部が溝１００の内部にある。組子ストリップ１６０は溝１００の全長を伸びる必要はない。組子ストリップ１６０の第２部分６８は溝１００の内部にある部分に実質的に垂直であり、太陽電池モジュール１２の底部表面に向かっている。
【００１３】
図１及び図２を参照すると、取付ブラケット２２は任意にはフレーム１４を支持構造（図示せず）、例えばレールや屋根上のその他の構造に固定するよう配置された外向き取付部材５０（下記に詳述する）を含んでいる。取付ブラケット２４も同様に外向き取付部材５４を含むことが出来る。それぞれの取付部材５０及び５４は実質的にＣ字形断面を持つことが出来る。しかしながら、外向き取付部材の形状は任意の形態をとることができ、一般的に支持構造にフレームを取り付けるために使用されるブラケットにより決定される。
【００１４】
図４Ａ及び図４Ｂを参照すると、取付ブラケット２２は内面２及び外面４を持つ直立部分６４を含む。頂部フランジ６８及び底部フランジ１１０は直立部分６４の反対の端部から実質的に垂直に伸びる。底部フランジ１１０は頂部フランジ６８より長くても良くそして接続手段（図示せず）を収容するようサイズを合わせた開口１３０を有する接続部材１２０で終結することが出来る。頂部フランジ６８は太陽電池モジュール１２の上面６の一部に固定するよう配置された下向き内面１７４を持つ。
【００１５】
接着剤１７０は上部フランジ６８の下向き内面１７４を太陽電池モジュール１２の上面６の外縁に固定する。接着剤１７０は太陽電池モジュール１２を取付ブラケット２２に固定することが出来る任意の接着剤で良い。長期間にわたり熱、風、寒気、雨、そして凍結析出に曝されるため、耐候性の接着剤が望ましい。気候によっては、繰返の凍結融解サイクルに耐えられる弾性特性を有する接着剤を使用することも望ましい。接着剤１７０は、例えば、ホットメルト接着剤、感圧接着剤、または膠、例えば、シリコーン、一液型または二液型ウレタン、またはエポキシを含めることができる。取付ブラケット２２は上部フランジ６８と底部フランジ１１０との間の位置において直立部分６４の内面２から突き出す内向き延長部８０を含む。通常、延長部８０は上部フランジ６８より短くそして上部フランジ６８に実質的に平行な末端部８４及び直立部６４に近接する湾曲部８８を含む。延長部８０の上面８６及び頂部フランジ６８の下向き表面１７４は太陽電池モジュール１２の端部１６を収容するためサイズを合わせた溝９０を画成する。通常、延長部８０は取付ブラケット２２の全長に亘っている。
【００１６】
任意のクッションストリップ７２を溝９０の直立部分６４の内面７６の上に備えることが出来る。クッションストリップ７２は太陽電池モジュール１２の端部を、取付ブラケット２２に太陽電池モジュール１２を設置する際及びフレームつきモジュール取り扱い時のブラケット６０の直立部分６４との接触による損傷から保護する。したがって、クッションストリップは通常は硬度がショア００デュロメーター２０からショアＡデュロメーター８０の間、またはショアＡデュロメーター２０から６０、例えばショアＡデュロメーター４０である弾性材料で出来ている。弾性材料は、例えば、ブチルゴムまたはシリコーンゴムのようなゴム、ウレタン、ネオプレン、またはポリ塩化ビニル（ＰＶＣ）のような発泡材または高分子材料を含むことが出来る。太陽電池モジュール１２はモジュール１２の端部１６が直立部分６４の内面２と、あるいはもしあれば、クッションストリップ７２と直接接触することが無いように溝９０の内側に置かれる。付加的なスペーサ及び／またはクッション材（図示せず）は太陽電池モジュール１２の上面６、下面８、または端部１６と溝９０を画成する内向き表面７６、８６、そして１７４との間の接触を防ぐか最小限にするために使用することが出来る。
【００１７】
取付ブラケット２２は延長部８０と底部フランジ１１０との間の位置において直立部分６４の内面２から突き出す第２延長部９２を含む。延長部９２は延長部８０の鏡像であって良い。第２延長部９２は取付ブラケット２２の全長に亘っても良い。第２延長部９２は直立部分６４の内面２に近接した湾曲部９６及び延長部８０の末端部８４に平行であることも可能な末端部９４を含む。延長部８０及び延長部９２の湾曲部は接続手段（図示せず）を収容するためサイズを合わせた受部１０１を画成する。実質的に平行となった、延長部８０の末端部８４及び延長部９２の末端部９４は組子ストリップ１６０の一部を収容するようサイズを合わせた溝１００を形成するよう間隔が取られている。
【００１８】
組子ストリップ１６０は溝１００の内側にある底部１６４を持つＬ字形断面を持つことが出来る。組子ストリップ１６０は、ＰＶＣのような、半硬質材料の押出しでも良い。組子ストリップ１６０は接着剤１７０の塗布及び硬化に先立ち溝９０の内側で太陽電池モジュール１２を一時的に支持する。一旦太陽電池モジュール１２が取付ブラケット２２の溝９０の内側に置かれると、組子ストリップ１６０の頂部分１６８は太陽電池モジュール１２の底面８に接触する。組子ストリップ１６０は取付ブラケット２２に備えられているかまたは取付ブラケットの溝９０に太陽電池モジュール１２を挿入する直前に溝１００に挿入されても良い。
【００１９】
接着剤１７０は太陽電池モジュール１２が溝９０の内側に置かれた後に下向き表面１７４と上面６の間に挿入しても良い。もう一つの方法として、またはモジュールを溝に置いた後に接着剤を挿入する方法と組み合わせて、溝内にモジュールを置く前に接着剤１７０を頂部フランジ６８の下向き表面１７４または太陽電池モジュール１２の外縁で上面６の一部に塗布することが出来る。例えば、任意で剥離ライナーで保護可能な感圧接着剤を、頂部フランジ６８の下向き表面１７４に供しても良い。剥離ライナーを除去した後、太陽電池モジュール１２は溝９０に挿入されそして感圧接着剤との接触を介して下向き表面１７４に固定される。一旦硬化すれば、接着剤１７０は太陽電池モジュール１２を取付固定具２２に固定する。組子ストリップは長期間の構造支持を提供することを意図したものではないので、接着剤が硬化した後に除去又は置き換えても良い。
【００２０】
取付ブラケット２２は太陽電池モジュール１２を外枠１４との直接接触から隔離する。モジュール１２を外枠１４から隔離することにより、モジュール１２の端部１６は溝９０の内側に据え付けられている時はずっと露出されている。この構造は取付ブラケット２２を通りそして太陽電池モジュール１２の端部周りの水はけと通気を容易にする。
フレームつき太陽電池モジュール１０は直接または間接的に支持構造に取り付けることが出来る。例えば、図４Ｂに示したとおり、フレームつきモジュール１０は取付ブラケット２２の底部フランジ１１０の開口（図２で図示せず、穴５６）の内側に置いた接続手段２００（例、ねじ、釘、またはリベット、溶接、接着剤、ろう付け）を使用して支持構造（図示せず）に直接取り付けることが出来る。あるいは、またはこれに加えて、取付ブラケット２２は任意で取付ブラケット２２を支持構造に間接的に固定するため外向き取付部材５０（図４Ｂ示）を含めることが出来る。
【００２１】
図４Ｂを参照すると、取付部材５０は取付ブラケット２２の直立部分６４に垂直である外向きＬ字形上部延長部１４０を含む。上部延長部１４０の終端部１４２は底部フランジ１１０に向けられている。取付ブラケット２２は直立部分６４に垂直である外向きＬ字形底部延長部１４４を含む。底部延長部１４４の終端部１４６は頂部フランジ６８に向けられても良い。外向き上部延長部１４０及び外向き底部延長部１４４は支持構造を収容するようにサイズを合わせたＣ字形溝１５０を画成しており、支持構造は例えば細長いレールなどで、それはフレームを例えば、屋根、地上、基台、パイプ支持構造、ラック、またはその他の形式の取付システムに固定するために使用出来る。
図４Ｃを参照すると、他の実施形態では、取付部材５０は取付ブラケット２２の直立部材６４に垂直である外向き延長部２１０を含む。外向き延長部２１０は接続手段２２０により支持構造（上述のとおり）に取り付けることが出来る。
【００２２】
図５Ａを参照すると、フレームつき太陽電池モジュール１０はブラケット３００により支持構造（図示せず）に取り付けられて示されている。ボルト３２０の頭部３１０は取付ブラケット２２の溝１５０に嵌りスライドすることが出来、支持構造に固定する位置に置かれるようにしている。ボルト３２０はファスナー３３０（例、ナット）によりＬ字形ブラケット３００の上部フランジ３４０の開孔（図示せず）を通して固定される。ブラケット３００は任意でブラケット３００の底部フランジ３５０の開孔（図示せず）を通過する接続手段３６０を介して支持構造（図示せず）に取り付けることが出来る。図５Ｂを参照すると、底部延長部１４４の末端部１４６は直立部分６４から遠ざかる方向に伸びそして上部延長部１４０の末端部１４２に向かって伸びていない。この構造はコネクタ３２０を溝に挿入することを容易にするため溝１５０を開放している。コネクタ３２０の頭部３１０は溝の長さ方向に沿った溝１５０の任意の場所に頭部３１０を納めるため直立部分６４に対して角度をつけることが出来る。
【００２３】
図６を参照すると、フレームつき太陽電池モジュール１０は取付ブラケット２２の外向き底部延長部１４４の上面４８０に載ったブラケット４００を介して支持構造（図示せず）に固定されることが出来る。ブラケット４００はコネクタ接続手段４２０を収容するようサイズを合わせた開孔（図示せず）を有する側部４１０を含み、それはブラケット４００を支持構造（図示せず）に固定するために使用されることが出来る。直立部分４３０が側部４１０から伸びそしてそれは取付ブラケット２２の上部延長部１４０に向かっている。短側部４５０は直立部分４３０から垂直に伸びそしてそれはブラケット２２の外面４に向かっている。側部４５０は底部延長部１４４の上面４８０に向かった短フランジ４６０で終了する。下向きフランジ４６０の端部４７０は底部延長部１４４の上面４８０と接している。ブラケット４００の直立部分４３０及びフランジ４６０は底部延長部１４４の末端部１４６を収容するようにサイズを合わせた溝４９０を画成する。ブラケット４００の直立部分４３０、側部４５０、そしてフランジ４６０は取付ブラケット２２からブラケット４００が外れてしまうことを防ぐラッチ構造を形成する。側部４１０の下面４１５及び取付ブラケット２２の底部フランジ１１０の下面４１８は支持構造（図示せず）の上に載せることが出来る。ブラケット４００はフレームつき太陽電池モジュール１０を支持構造（図示せず）に固定することが出来る。
【００２４】
本発明に関する多くの実施態様を記載した。それにもかかわらず、本発明の範囲及び意図から外れることなく、さまざまな変更がなされることは理解できるであろう。
【図面の簡単な説明】
【００２５】
【図１】フレームつき太陽電池モジュールの斜視図である。
【図２】図１に示すフレームつき太陽電池モジュールの底部の斜視図である。
【図３】図２に示すフレームつき太陽電池モジュールのコーナー部分の斜視図である。
【図４Ａ】フレームつき太陽電池モジュールの部分断面図である。
【図４Ｂ】図１に示すＡ−Ａ’線に沿って見たフレームつき太陽電池モジュールの部分断面図である。
【図４Ｃ】取付ブラケットの斜視図である。
【図５Ａ】フレームつき太陽電池モジュールの斜視断面図である。
【図５Ｂ】フレームつき太陽電池モジュールの断面図である。
【図６】フレームつき太陽電池モジュールの断面図である。
【図１】
2007503729.tif 000003
【図２】
2007503729.tif 000004
【図３】
2007503729.tif 000005
【図４Ａ】
2007503729.tif 000006
【図４Ｂ】
2007503729.tif 000007
【図４Ｃ】
2007503729.tif 000008
【図５Ａ】
2007503729.tif 000009
【図５Ｂ】
2007503729.tif 000010
【図６】
2007503729.tif 000011
【国際調査報告】
2007503729.tif 000012